【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
気体源と、
気体運搬回路と、
患者が鼻インターフェイスを通して周囲空気で呼吸するのを可能にする鼻インターフェイスと、
遠位端気体流路開口を有する、前記鼻インターフェイスを通る気体流路と、
前記遠位端気体流路開口から一定の距離のところにある前記鼻インターフェイスの近位端に付随するノズルと、
少なくとも一部分が前記ノズルと前記遠位端気体流開口との間にある、前記鼻インターフェイスに付随する取込みポートと、を有し、
前記ノズルは前記気体運搬回路および前記気体源に流体連通され、
前記ノズルは、前記取込みポートのところで前記気体流路内に陰圧領域を形成するために前記鼻インターフェイス内に気体を運搬し、
前記鼻インターフェイスおよび前記ノズルは、前記取込みポートと前記遠位端気体流路との間に陽圧領域を形成し、
前記気体源からの気体と前記取込みポートを通して取り込まれる空気との組合せが換気補助を行うことを特徴とする、換気補助を提供するためのシステム。
【請求項２】
前記鼻インターフェイスは消音機構を有し、
前記消音機構は、前記ノズルの１つをマニホールド気体流路の中心線軸から約１〜３０度の角度で角度付けし、
前記取込みポートから分離された二次気体流出口を有する、請求項１に記載のシステム。
【請求項３】
前記気体流路は、実質的に外側−正中線の区間である第１の区間、および、前記第１の区間の遠位側にある、実質的に下側−上側の区間である第２の区間、ならびに、前記２つの区間の間にある湾曲部を有し、前記湾曲部の近位側に前記陽圧領域が実質的に形成される、請求項１に記載のシステム。
【請求項４】
前記気体流路内の陽圧領域で終端する圧力感知ポートをさらに有する、請求項１に記載のシステム。
【請求項５】
前記気体流路は、左側気体流路、および、分離した右側気体流路を有し、
前記左側気体流路および前記右側気体流路は、相互接続チャネルに空気圧的に相互接続される、請求項１に記載のシステム。
【請求項６】
マニホールドをさらに有し、前記マニホールドが、正中線の両側に外側−後側−下側の湾曲部を有するように湾曲しており、それにより前記マニホールドがユーザにとって最も快適な場所に配置される、請求項１に記載のシステム。
【請求項７】
マニホールドをさらに有し、前記マニホールドが少なくとも１つの撓み継手を有し、前記少なくとも１つの撓み継手が前記マニホールドの正中線のところに配置され、
前記マニホールドは可撓性材料で作られる、請求項１に記載のシステム。
【請求項８】
マニホールドをさらに有し、前記マニホールドがユーザの顔の形状になるような展性材料で作られる、請求項１に記載のシステム。
【請求項９】
マニホールドをさらに有し、前記マニホールドの中心で空間の調整が行われる、請求項１に記載のシステム。
【請求項１０】
前記遠位端気体流開口に取付可能な１つまたは複数の鼻クッションをさらに有し、前記１つまたは複数の鼻クッションが、硬質材料を含むスナップ・リングをピロー上に有し、さらに、前記遠位端気体流開口を囲む対合リングを有する、請求項１に記載のシステム。
【請求項１１】
前記遠位端気体流開口に取付可能な１つまたは複数の鼻クッションをさらに有し、前記１つまたは複数の鼻クッションが前記鼻インターフェイスに対する回転可能接続部を有し、請求項１に記載のシステム。
【請求項１２】
前記取込みポートから前記遠位端気体流開口に向かう前記気体流路の断面積は、１つは減少せず、不変で、そして増加する請求項１に記載のシステム。
【請求項１３】
前記気体源からの気体の運搬が吸気段階と同期する、請求項１に記載のシステム。
【請求項１４】
前記気体源からの気体の運搬の時間が、患者の自然の呼吸数に基づいて異なる時間および異なる圧力振幅で設定された量を運搬するように、呼吸数で修正される、請求項１に記載のシステム。
【請求項１５】
気体供給源からの前記気体は着用可能換気装置によって制御される、請求項１に記載のシステム。
【請求項１６】
換気補助には、呼吸不全を治療するために呼吸の動作の１つを減少させ、
睡眠時無呼吸を治療するために気道圧力を増大させることが含まれる、請求項１に記載のシステム。
【請求項１７】
前記ノズルおよび気体運搬管は、前記鼻インターフェイスの一方の側のみに取り付けられる、請求項１に記載のシステム。
【請求項１８】
前記気体流路は急激な角度を有さず、
前記急激な角度は実質的に９０度である、請求項１に記載のシステム。
【請求項１９】
前記ノズルが先端部を有し、前記取込みポートの少なくとも一部分が前記ノズルの前記先端部と前記遠位端気体流開口との間にある、請求項１に記載のシステム。
【請求項２０】
前記ノズルの前記先端部は前記取込みポートの中間位置に位置する、請求項１９に記載のシステム。
【請求項２１】
前記取込みポートは完全に前記ノズルの遠位側にある、請求項１に記載のシステム。
【請求項２２】
前記陰圧領域は前記気体流路内にあり、
前記鼻インターフェイスの前記遠位端の近位側にある位置まで延在する、請求項１に記載のシステム。
【請求項２３】
前記陽圧領域が前記気体流路内にあり、
前記気体流路内を、前記取込みポートの遠位側の位置から前記鼻インターフェイスの前記遠位端まで延在する、請求項１に記載のシステム。
【請求項２４】
前記気体源からの気体と前記取込みポートを通して取り込まれる前記空気との前記組合せは層流として前記鼻インターフェイスから出る、請求項１に記載のシステム。
【請求項２５】
呼吸の段階を測定するための少なくとも１つのセンサをさらに有する、請求項１に記載のシステム。
【請求項２６】
換気装置をさらに有し、前記換気装置が制御ユニットを有し、前記制御ユニットが、前記少なくとも１つのセンサからの情報に基づいて患者の換気需要に適合するように前記換気装置の出力を調節する、請求項１に記載のシステム。
【請求項２７】
遠位端および近位端ならびに前記遠位端から前記近位端まで延在する気体流路を備える管状体を有する、睡眠時無呼吸を治療するための鼻インターフェイスであって、前記管状体が：
ａ．鼻孔気道に衝突するように構成される遠位端と；
ｂ．鼻孔の遠位端から前記近位端まで横方向に湾曲するように構成される管状体と；
ｃ．ユーザが呼吸するのを妨害することなくアパーチャを通して周囲空気で直接に自発呼吸するのを可能にするように適合された、前記管状体内の前記近位端と前記遠位端との間にある周囲空気取込みアパーチャと；
ｄ．気体を前記気体流路へと誘導し、前記取込みアパーチャから空気を取り込むように適合された、前記管状体の前記近位端のところで前記アパーチャの近位側に配置される噴射ノズル・ポートと；
ｅ．圧力感知ポートと；を有し、
気体が、前記ノズルと前記アパーチャを通して取り込まれた空気との組合せにより、患者の気道に運搬され、また、前記患者から出る実質的にすべての気体が前記アパーチャから外に出る、鼻インターフェイス。
【請求項２８】
前記気体流路は、前記ノズルと遠位端との間に一定の長さを有し、それにより、前記噴射から出る速度プロファイルが前記気体流路の壁に合流して前記遠位端の近位側かつ鼻の外側の位置で陽圧を発生させることが可能となる、請求項２７に記載の鼻インターフェイス。
【請求項２９】
前記気体流路の最小断面が前記取込みアパーチャの断面積以上である、請求項２７に記載の鼻インターフェイス。
【請求項３０】
前記取込みアパーチャは、顔の前方から前記アパーチャ内に空気流を取り込むために、さらには、前記アパーチャから出る吐き出された気体の流れを前記顔から離れるように誘導するために、前記管状体内の、前記管状体の前側に配置される、請求項２７に記載の鼻インターフェイス。
【請求項３１】
前記管状体は、前記遠位端の近くにある二次ポート、前記管状体の中心線軸からずれたノズル位置、気体を前記管状体の前記壁へと誘導するノズル角度、の群から選択される消音機構を有する、請求項２７に記載の鼻インターフェイス。
【請求項３２】
前記管状体は０．４０立方インチ（６．６立方センチメートル）未満の内部容積を有する、請求項２７に記載の鼻インターフェイス。
【請求項３３】
前記圧力感知ポートは前記管状体の陽圧領域内に配置される、請求項２７に記載の鼻インターフェイス。
【請求項３４】
左側管状体および右側管状体をさらに有し、各管状体は圧力感知ポートを有する、請求項２７に記載の鼻インターフェイス。
【請求項３５】
前記取込みアパーチャの近くに配置される巻込み圧力感知ポートと、前記遠位端の近くに配置される圧力感知ポートとをさらに有する、請求項２７に記載の鼻インターフェイス。